(57)【特許請求の範囲】
【請求項１】
ゴルフクラブのグリップ部をクランプするクランパーが作業板上の一端側に配置され、該作用板の一端側が支持解除可能な第１支持部材により回動可能に支持され、該クランパーでクランプされたゴルフクラブのグリップの端部からの距離が１２インチ測定法や１４インチ測定法などの測定方法のインチ数である基準位置において該作用板が支持解除可能な第２支持部材により支持され、該作用板の他端側がロードセルを有する計測台で支持され、
ヘッドを計測台側に向けたゴルフクラブのグリップ部を該クランパーでクランプし、
第１支持部材の支持を解除し、第２支持部材で支持した状態における該ロードセルの出力信号によりゴルフクラブのスイングウエイトが計測され、
第１支持部材および第２支持部材の支持を解除した状態における該ロードセルの出力信号によりゴルフクラブの重量が測定され、
第１支持部材で支持し、第２支持部材による支持を解除した状態でゴルフクラブのシャフトに振動を与えると該作用板が振動し、この振動による該ロードセルの出力信号によりゴルフクラブの固有振動数が計測されることを特徴とするゴルフクラブ測定装置。
【発明の詳細な説明】
【０００１】
【発明の属する技術分野】
本発明はゴルフクラブの重量、スイングウエイト、および固有振動数を測定することが可能なゴルフクラブ測定装置に関する。
【０００２】
【従来の技術】
ゴルフクラブはシャフトの先端部にヘッドを取り付けるとともに基部にグリップを取り付けてなるが、ゴルフクラブの特性としては、その重量、グリップを握ったときに手首などに感じるクラブの重さ（スイングウエイト）などがあり、また、シャフトは硬いシャフトや柔らかいシャフトなどと表現されるが、シャフトの硬さを表すものとしてクラブを振ったときのシャフトの振動（固有振動数）などの特性値も重要である。硬いシャフトは小さな振幅で振動するので大きな固有振動数を示し、柔らかいシャフトはこの逆である。
【０００３】
スイングウエイトは、前記のとおり、グリップを握ったときに手首などに感じるクラブの重さを表すものであり、５インチ測定法、１２インチ測定法、１４インチ測定法などが行われている。例えば１４インチ測定法で測定するときは、クラブのグリップ端から１４インチの位置を支点としてクラブを保持し、グリップ端にクラブがバランスする力Ｆを加えたとき、スイングウエイトＫは１４×Ｆで求めることができる。
そして、Ｋの値を軽い方からＡ〜Ｆに大分類し、各大分類をさらに細かく０〜９に１０分類し、グリップを握ったときに手首などに感じるクラブの重さを例えばＤ５のように表示している。そして、ユーザはこの表示に基づいて自分のパワーに応じて最適のスイングウエイトのクラブを選らべるようになっている。
【０００４】
【発明が解決しようとする課題】
このように、これらの特性値はゴルフクラブを設計する上で重要なファクターとなるので、これらの特性を測定する装置がいろいろと提案され、また実用化されている。そして、ゴルフクラブの重量とスイングウエイトは、基本的には重量を計量することにより求められるので、通常は１つの測定装置で両者を測定できることが多い。一方、固有振動数は、クラブの一端を保持してシャフトに振動を与え、光電管やストロボスコープなどにより測定しているので、装置が大型化するとともにコスト高となり、更にはシャフトの振幅を大きくしないと正確に測定できないる問題点があった。また、固有振動数測定用の専用の装置となることが多く、したがって、ゴルフクラブの重量とスイングウエイトおよび固有振動数を測定するには２つの測定装置を必要としていた。
【０００５】
そこで本発明は構造が簡単であって、１つの装置でゴルフクラブの重量、スイングウエイト、および固有振動数を測定することが可能なゴルフクラブ測定装置を提供することを目的とする。
【０００７】
【課題を解決するための手段】
かかる目的を達成するために、本発明は、ゴルフクラブのグリップ部をクランプするクランパーを作業板上の一端側に配置し、この作用板の一端側を支持解除可能な第１支持部材により回動可能に支持し、クランパーでクランプされたゴルフクラブのグリップの端部からの距離が１２インチ測定法や１４インチ測定法などの測定方法のインチ数である基準位置において該作用板を支持解除可能な第２支持部材により支持し、作用板の他端側をロードセルを有する計測台で支持し、ヘッドを計測台側に向けたゴルフクラブのグリップ部を該クランパーでクランプし、第１支持部材の支持を解除し、第２支持部材で支持した状態における該ロードセルの出力信号によりゴルフクラブのスイングウエイトを計測し、第１支持部材および第２支持部材の支持を解除した状態におけるロードセルの出力信号によりゴルフクラブの重量を計測し、第１支持部材で支持し、第２支持部材による支持を解除した状態でゴルフクラブのシャフトに振動を与えて作用板を振動させ、この振動によるロードセルの出力信号によりゴルフクラブの固有振動数を計測する。
【０００８】
【発明の実施の形態】
以下に、図面に基づいて本発明の実施の形態を具体的に説明する。図１〜図３は重量とスイングウエイトおよび固有振動数を測定できる装置を示し、図１は重量を測定している状態を示し、図２はスイングウエイトを測定している状態を示し、図３は固有振動数を測定している状態を示す。図１〜図３において、基台１上に作用板２が配置され、作用板２には開閉する一対の把持部材からなるクランパー３が配置されている。作用板２は、基台１上に配置された計測台４、第１支持部材５および第２支持部材６により支持されるようになっている。また、図示しないが制御ボックスが基台１上に配置されている。
【０００９】
計測台４はロードセルを内蔵しており、作用板２の端部においてピン４２により回動可能に取り付けられている。また、計測台４にはストッパー４１が設けられている。後述するように、第１支持部材５および第２支持部材６による支持が解除されたときは、図１に示すように、作用板２は僅かに回動してストッパー４１に当接する。つまり、作用板２は計測台４のみによって支持されるようになっている。
【００１０】
第１支持部材５は、円弧状のカムからなり、図３に示すように、円弧状のカム面が作用板２に接触すると作用板２を支持し、図１ないし図２に示すように、回動してカム面が作用板２から離間することにより支持を解除するようになっている。基台１に取り付けられた側板１１には回転可能な抑え部材５１が設けられており、第１支持部材５が作用板２に接触すると作用板２がやや上昇して作用板２の端板２１が抑え部材５１に当接し、抑え部材５１により作用板２の端部を抑えるようになっている。つまり、作用板２の端部は第１支持部材５と抑え部材５１により回動可能に支持されるようになっている。
【００１１】
第２支持部材６も円弧状のカムからなり、図２に示すように、カム面が作用板２の下面の基準位置に設けられた突起６１に当接することにより作用板２を支持し、図１ないし図３に示すように、回動してカム面が突起６１から離間することにより作用板２の支持を解除するようになっている。突起６１の位置は、スイングウエイトを例えば１４インチ測定法で測定するときは、クランパー３でクランプされたグリップ部Ｇの端部からの距離が１４インチ（約３５６ｍｍ）の位置である。
【００１２】
しかして、ゴルフクラブＧＣの重量を測定するときは、図１に示すように、第１支持部材５および第２支持部材６による支持を解除して作用板２を計測台４のみにて支持する。そして、グリップ部Ｇをクランパー３でクランプすると、計測台４のロードセルで測定される重量はクランプする前に比べてゴルフクラブＧＣの重量だけ増加するので、その増加分からゴルフクラブＧＣの重量を求めることができる。ロードセルの出力信号は、制御ボックス内のアンプで増幅されて０〜５Ｖのアナログ出力となり、この出力をＡ／Ｄ変換してＣＰＵユニットで演算し、その結果を画面表示する。
【００１３】
スイングウエイトを測定するときは、図２に示すように、第２支持部材６と計測台４で作用板２を支持する。そして、グリップ端から突起６１までの距離（例えば１４インチ）にロードセルで計測される重量値をかけた値をＣＰＵユニットで演算することにより求めることができる。
【００１４】
固有振動値を求めるときは、図３に示すように、第１支持部材５と計測台４で作用板２を支持する。そして、クランパー３でクランプされたクラブＧＣのヘッドＨを手で抑えて下方に偏位させ、手を放すとシャフトＳは単振動する。そして、シャフトＳの振動に伴って作用板２が振動し、この振動を計測台４のロードセルが検知して信号を出力する。この信号を、例えば前記の重量測定と同じ回路を通って計測されたデジタルの波形データをＣＰＵユニットでフーリエ変換をはじめとする波形解析を行い、その結果を画面表示することにより固有振動数を求めることができる。あるいは、コンパレート回路を使用し、ロードセルの出力信号に基づく波形を直接パルス波に変換し、ＣＰＵユニットでカウントすることによっても固有振動数を求めることができる。
【００１５】
【発明の効果】
このように、１つの装置でゴルフクラブの重量、スイングウエイトおよび固有振動数を迅速に求めることが可能になる。そして、固有振動数を光電管やストロボスコープを利用せずにロードセルを利用して求めるので、微小な変位を効率よく検出できて正確に測定することが可能であり、しかも小型化が可能であるとともに低コストで製造できる。
【図面の簡単な説明】
【図１】  重量を測定している状態を示す実施例の説明図である。
【図２】  スイングウエイトを測定している状態を示す実施例の説明図である。
【図３】  固有振動数を測定している状態を示す実施例の説明図である。
【符号の説明】
１      基台
１１      側板
２      作用板
２１      端板
３      クランパー
４      計測台
４１      ストッパー
４２      ピン
５      第１支持部材
５１      抑え部材
６      第２支持部材
６１      突起
ＧＣ      ゴルフクラブ
Ｇ      グリップ部
Ｓ      シャフト
Ｈ      ヘッド
【図１】
0003917560.tif 000002
【図２】
0003917560.tif 000003
【図３】
0003917560.tif 000004